(57)【要約】【課題】停電の際に、負荷機器に対して電力を適切に供給することができる配電制御装置を提供する。【解決手段】配電制御装置は、第１負荷機器１６１を接続するための第１出力端子１２１と、モータで動作する圧縮機を有する第２負荷機器１６２を接続するための第２出力端子１２２と、第１スイッチ１１１と、第２スイッチ１１２と、系統電源の停電を検知し、第１スイッチ１１１および第２スイッチ１１２を制御することによりインバータ１４０から第１出力端子１２１および第２出力端子１２２へ電力を供給する制御部１３０とを備え、制御部１３０は、停電が検知された場合、第２出力端子１２２への電力供給を開始せずに第１出力端子１２１への電力供給を開始し、第１出力端子１２１への電力供給を開始してから所定期間遅らせて第２出力端子１２２への電力供給を開始する。【選択図】図１
2015128354.tif 000002
【特許請求の範囲】
【請求項１】
蓄電池からインバータを介して供給される電力の配電を制御する配電制御装置であって、
第１負荷機器を接続するための第１出力端子と、
モータで動作する圧縮機を有する第２負荷機器を接続するための第２出力端子と、
前記インバータと前記第１出力端子との間の電力経路の導通および非導通を切り替える第１スイッチと、
前記インバータと前記第２出力端子との間の電力経路の導通および非導通を切り替える第２スイッチと、
系統電源の停電を検知し、前記第１スイッチおよび前記第２スイッチを制御することにより前記インバータから前記第１出力端子および前記第２出力端子へ電力を供給する制御部とを備え、
前記制御部は、前記停電が検知された場合、前記第２出力端子への電力供給を開始せずに前記第１出力端子への電力供給を開始し、前記第１出力端子への電力供給を開始してから所定期間遅らせて前記第２出力端子への電力供給を開始する
配電制御装置。
【請求項２】
前記第１スイッチは、前記インバータと前記第１出力端子との間の電力経路と、前記インバータと前記第２出力端子との間の電力経路とにおいて共通する電力経路の導通および非導通を切り替え、
前記第２スイッチは、前記共通する電力経路と前記第２出力端子との間の電力経路の導通および非導通を切り替える
請求項１に記載の配電制御装置。
【請求項３】
前記制御部は、前記停電が検知され、前記制御部が前記第１出力端子への電力供給と前記第２出力端子への電力供給とを同時に開始した後に前記インバータが停止する場合、前記第２出力端子への電力供給を開始せずに前記第１出力端子への電力供給を開始し、前記第１出力端子への電力供給を開始してから前記所定期間遅らせて前記第２出力端子への電力供給を開始する
請求項１または２に記載の配電制御装置。
【請求項４】
前記制御部は、前記停電が検知され、前記制御部が前記第１出力端子への電力供給と前記第２出力端子への電力供給とを同時に開始した後に前記インバータが停止する動作が複数回繰り返された場合、前記第２出力端子への電力供給を開始せずに前記第１出力端子への電力供給を開始し、前記第１出力端子への電力供給を開始してから前記所定期間遅らせて前記第２出力端子への電力供給を開始する
請求項１〜３のいずれか１項に記載の配電制御装置。
【請求項５】
前記制御部は、前記制御部が前記第１出力端子への電力供給を開始し前記所定期間遅らせて前記第２出力端子への電力供給を開始した後に前記インバータが停止する場合、前記第１出力端子および前記第２出力端子のうち前記第１出力端子のみへ電力を供給する
請求項１〜４のいずれか１項に記載の配電制御装置。
【請求項６】
前記制御部は、前記制御部が前記第１出力端子への電力供給を開始し前記所定期間遅らせて前記第２出力端子への電力供給を開始した後に前記インバータが停止する動作が複数回繰り返された場合、前記第１出力端子および前記第２出力端子のうち前記第１出力端子のみへ電力を供給する
請求項１〜５のいずれか１項に記載の配電制御装置。
【請求項７】
前記制御部は、前記インバータから前記第２出力端子への電力供給を開始する際に前記インバータの過負荷保護機能を緩和または停止させる
請求項１〜６のいずれか１項に記載の配電制御装置。
【請求項８】
前記制御部は、前記インバータから前記第１出力端子への電力供給を開始する際に前記インバータの過負荷保護機能を緩和または停止させる
請求項１〜７のいずれか１項に記載の配電制御装置。
【請求項９】
前記制御部が前記第１出力端子への電力供給を開始してから前記第２出力端子への電力供給の開始を遅らせる前記所定期間は、３分以上である
請求項１〜８のいずれか１項に記載の配電制御装置。
【請求項１０】
前記制御部が前記第１出力端子への電力供給を開始してから前記第２出力端子への電力供給の開始を遅らせる前記所定期間は、３０分以内である
請求項１〜９のいずれか１項に記載の配電制御装置。
【請求項１１】
前記配電制御装置は、さらに、前記第２出力端子への電力供給を開始するまでの時間を報知する報知部を備える
請求項１〜１０のいずれか１項に記載の配電制御装置。
【請求項１２】
前記第２負荷機器は、物質を冷蔵する冷蔵装置であり、
前記第２出力端子は、前記冷蔵装置を接続するための出力端子である
請求項１〜１１のいずれか１項に記載の配電制御装置。
【請求項１３】
前記冷蔵装置は、インバータを有するインバータ型冷蔵装置とは異なるインダクション型冷蔵装置である
請求項１２に記載の配電制御装置。
【請求項１４】
前記第１負荷機器は、照明装置または通信装置であり、
前記第１出力端子は、前記照明装置または前記通信装置を接続するための出力端子である
請求項１〜１３のいずれか１項に記載の配電制御装置。
【請求項１５】
前記配電制御装置は、さらに、前記第１出力端子および前記第２出力端子への電力供給元を前記系統電源および前記インバータのいずれかに切り替える第３スイッチを備え、
前記制御部は、
前記停電が検知されなかった際に前記第３スイッチを制御することにより前記系統電源から前記第１出力端子および前記第２出力端子へ電力を供給し、
前記停電が検知された際に前記第３スイッチを制御することにより前記インバータから前記第１出力端子および前記第２出力端子へ電力を供給する
請求項１〜１４のいずれか１項に記載の配電制御装置。
【請求項１６】
前記配電制御装置は、さらに、前記蓄電池から出力された電力を直流電力から交流電力へ変換する前記インバータを備える
請求項１〜１５のいずれか１項に記載の配電制御装置。
【請求項１７】
前記配電制御装置は、さらに、前記蓄電池を備える
請求項１〜１６のいずれか１項に記載の配電制御装置。
【請求項１８】
前記蓄電池は、前記配電制御装置から取り外し可能、かつ、前記配電制御装置とは異なる電気機器に接続可能であり、前記配電制御装置から取り外され前記電気機器に接続された際に、前記電気機器に電力を供給する
請求項１７に記載の配電制御装置。
【請求項１９】
蓄電池からインバータを介して供給される電力の配電を制御する配電制御方法であって、
系統電源の停電を検知する検知ステップと、
前記インバータから、第１負荷機器を接続するための第１出力端子、および、モータで動作する圧縮機を有する第２負荷機器を接続するための第２出力端子へ、電力を供給する供給ステップとを含み、
前記供給ステップでは、前記停電が検知された場合、前記第２出力端子への電力供給を開始せずに前記第１出力端子への電力供給を開始し、前記第１出力端子への電力供給を開始してから所定期間遅らせて前記第２出力端子への電力供給を開始する
配電制御方法。
【発明の詳細な説明】
【技術分野】
【０００１】
本発明は、蓄電池からインバータを介して供給される電力の配電を制御する配電制御装置に関する。
【背景技術】
【０００２】
従来、負荷機器へ電力を供給する技術に関して、例えば、特許文献１および特許文献２に記載の技術がある。
【先行技術文献】
【特許文献】
【０００３】
【特許文献１】特開２００５−８６８７０号公報
【特許文献２】特開２００７−２０２６３号公報
【発明の概要】
【発明が解決しようとする課題】
【０００４】
しかしながら、停電の際、電力が供給されることにより負荷機器が異常な動作を行う場合がある。そして、負荷機器の異常な動作によって、電力供給の継続が難しい場合がある。
【０００５】
そこで、本発明は、停電の際に、負荷機器に対して電力を適切に供給することができる配電制御装置を提供する。
【課題を解決するための手段】
【０００６】
本発明の一態様に係る配電制御装置は、蓄電池からインバータを介して供給される電力の配電を制御する配電制御装置であって、第１負荷機器を接続するための第１出力端子と、モータで動作する圧縮機を有する第２負荷機器を接続するための第２出力端子と、前記インバータと前記第１出力端子との間の電力経路の導通および非導通を切り替える第１スイッチと、前記インバータと前記第２出力端子との間の電力経路の導通および非導通を切り替える第２スイッチと、系統電源の停電を検知し、前記第１スイッチおよび前記第２スイッチを制御することにより前記インバータから前記第１出力端子および前記第２出力端子へ電力を供給する制御部とを備え、前記制御部は、前記停電が検知された場合、前記第２出力端子への電力供給を開始せずに前記第１出力端子への電力供給を開始し、前記第１出力端子への電力供給を開始してから所定期間遅らせて前記第２出力端子への電力供給を開始する。
【０００７】
なお、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００８】
本発明に係る配電制御装置は、停電の際に、負荷機器に対して電力を適切に供給することができる。
【図面の簡単な説明】
【０００９】
【図１】図１は、実施の形態１における配電制御装置の構成を示すブロック図である。
【図２】図２は、実施の形態１における配電制御装置の動作を示すフローチャートである。
【図３】図３は、実施の形態１の第１変形例における配電制御装置の構成を示すブロック図である。
【図４】図４は、実施の形態１の第２変形例における配電制御装置の構成を示すブロック図である。
【図５】図５は、実施の形態１の第３変形例における配電制御装置の構成を示すブロック図である。
【図６】図６は、実施の形態１の第４変形例における配電制御装置の構成を示すブロック図である。
【図７】図７は、実施の形態１の第５変形例における配電制御装置の構成を示すブロック図である。
【図８】図８は、実施の形態２における配電制御装置の概要を示す概念図である。
【図９】図９は、実施の形態２における配電制御装置の構成を示すブロック図である。
【図１０】図１０は、実施の形態２における冷蔵装置に対して初期起動の際に流れる電流の例を示す図である。
【図１１】図１１は、実施の形態２における冷蔵装置に対して停電および復電の際に流れる電流の例を示す図である。
【図１２】図１２は、実施の形態２における配電制御装置の動作を示すフローチャートである。
【図１３】図１３は、実施の形態２における配電制御装置の動作の例を示すタイムチャートである。
【発明を実施するための形態】
【００１０】
（本発明の基礎となった知見）
本発明者は、「背景技術」の欄において記載した、負荷機器へ電力を供給する技術に関し、以下の問題が生じることを見出した。
【００１１】
特許文献１および特許文献２に記載の無停電電源装置は、停電の際に、負荷機器へ電力を供給することができる。これにより、系統電源において停電が発生した場合でも、負荷機器へ電力が供給される。
【００１２】
しかしながら、例えば、電力供給を停止してから、即時に、電力供給を開始することが適切でない負荷機器が存在する。このような負荷機器に対して、系統電源の停電の際に、即時に電力を供給することは適切でない。例えば、冷蔵庫は、停電の際に、即時に電力を供給することが適切でない負荷機器の例である。
【００１３】
冷蔵庫は、モータで動作する圧縮機（コンプレッサ）を有し、圧縮機を用いて庫内の物質を冷却する。具体的には、気化した冷媒が、圧縮機によって圧縮される。圧縮された冷媒は、外気によって冷却され、液化する。その後、液化した冷媒が、気化することによって庫内の熱を吸収する。気化した冷媒は、再び、圧縮機によって圧縮される。このような動作が繰り返されることにより、冷蔵庫は、庫内の物質を冷却することができる。
【００１４】
しかし、電力供給が停止された場合、冷媒が適切に循環せずに、液化した冷媒が圧縮機に入る。圧縮機が液化した冷媒を圧縮することは困難である。このような状態で、電力供給が開始されても、圧縮機を駆動するモータが動かず、負荷が大きくなる。そのため、電力供給が開始されても、冷蔵庫のオーバーロードリレーが電力供給を遮断する。これにより、冷蔵庫の回路は保護されるが、冷蔵庫は正常に動作しない。
【００１５】
したがって、停電の際、冷蔵庫に対して、即時に電力供給を開始するよりも、しばらく待ってから電力供給を開始する方が適切である。このように、例えば、モータで動作する圧縮機を有する負荷機器に対して、停電の際に、即時に電力を供給することは適切でない。
【００１６】
そこで、本発明の一態様に係る配電制御装置は、蓄電池からインバータを介して供給される電力の配電を制御する配電制御装置であって、第１負荷機器を接続するための第１出力端子と、モータで動作する圧縮機を有する第２負荷機器を接続するための第２出力端子と、前記インバータと前記第１出力端子との間の電力経路の導通および非導通を切り替える第１スイッチと、前記インバータと前記第２出力端子との間の電力経路の導通および非導通を切り替える第２スイッチと、系統電源の停電を検知し、前記第１スイッチおよび前記第２スイッチを制御することにより前記インバータから前記第１出力端子および前記第２出力端子へ電力を供給する制御部とを備え、前記制御部は、前記停電が検知された場合、前記第２出力端子への電力供給を開始せずに前記第１出力端子への電力供給を開始し、前記第１出力端子への電力供給を開始してから所定期間遅らせて前記第２出力端子への電力供給を開始する。
【００１７】
これにより、配電制御装置は、停電の際に、第２負荷機器の状態が落ち着いてから、第２負荷機器を接続するための第２出力端子へ電力を供給することができる。したがって、配電制御装置は、停電の際に、第２負荷機器に対して電力を適切に供給することができる。
【００１８】
例えば、前記第１スイッチは、前記インバータと前記第１出力端子との間の電力経路と、前記インバータと前記第２出力端子との間の電力経路とにおいて共通する電力経路の導通および非導通を切り替え、前記第２スイッチは、前記共通する電力経路と前記第２出力端子との間の電力経路の導通および非導通を切り替えてもよい。
【００１９】
これにより、配電制御装置は、第１出力端子と第２出力端子との両方への電力供給の制御に第１スイッチを用いることができる。
【００２０】
また、例えば、前記制御部は、前記停電が検知され、前記制御部が前記第１出力端子への電力供給と前記第２出力端子への電力供給とを同時に開始した後に前記インバータが停止する場合、前記第２出力端子への電力供給を開始せずに前記第１出力端子への電力供給を開始し、前記第１出力端子への電力供給を開始してから前記所定期間遅らせて前記第２出力端子への電力供給を開始してもよい。
【００２１】
これにより、配電制御装置は、第１出力端子と第２出力端子との両方へ同時に電力供給を開始できる場合に、第１出力端子と第２出力端子との両方へ同時に電力供給を開始する。そして、配電制御装置は、第１出力端子と第２出力端子との両方へ同時に電力供給を開始できない場合に、第２出力端子へ電力供給を遅らせる。したがって、配電制御装置は、適応的に、第１出力端子および第２出力端子へ電力を供給することができる。
【００２２】
また、例えば、前記制御部は、前記停電が検知され、前記制御部が前記第１出力端子への電力供給と前記第２出力端子への電力供給とを同時に開始した後に前記インバータが停止する動作が複数回繰り返された場合、前記第２出力端子への電力供給を開始せずに前記第１出力端子への電力供給を開始し、前記第１出力端子への電力供給を開始してから前記所定期間遅らせて前記第２出力端子への電力供給を開始してもよい。
【００２３】
これにより、配電制御装置は、第１出力端子と第２出力端子との両方へ同時に電力供給を開始する動作を複数回試行する。配電制御装置は、複数回の試行によって、第２出力端子へ電力供給を早期に開始できる可能性がある。
【００２４】
また、例えば、前記制御部は、前記制御部が前記第１出力端子への電力供給を開始し前記所定期間遅らせて前記第２出力端子への電力供給を開始した後に前記インバータが停止する場合、前記第１出力端子および前記第２出力端子のうち前記第１出力端子のみへ電力を供給してもよい。
【００２５】
これにより、配電制御装置は、第２出力端子へ電力を供給できない場合でも、第１出力端子へ電力を供給することができる。
【００２６】
また、例えば、前記制御部は、前記制御部が前記第１出力端子への電力供給を開始し前記所定期間遅らせて前記第２出力端子への電力供給を開始した後に前記インバータが停止する動作が複数回繰り返された場合、前記第１出力端子および前記第２出力端子のうち前記第１出力端子のみへ電力を供給してもよい。
【００２７】
これにより、配電制御装置は、第１出力端子へ電力供給の開始に遅れて第２出力端子へ電力供給を開始する動作を複数回試行する。配電制御装置は、複数回の試行によって、第２出力端子へ電力供給を開始できる可能性がある。
【００２８】
また、例えば、前記制御部は、前記インバータから前記第２出力端子への電力供給を開始する際に前記インバータの過負荷保護機能を緩和または停止させてもよい。
【００２９】
これにより、配電制御装置は、第２出力端子へ電力供給を開始する際に一時的に過負荷の状態が発生しても、第２出力端子へ電力を供給することができる。
【００３０】
また、例えば、前記制御部は、前記インバータから前記第１出力端子への電力供給を開始する際に前記インバータの過負荷保護機能を緩和または停止させてもよい。
【００３１】
これにより、配電制御装置は、第１出力端子へ電力供給を開始する際に一時的に過負荷の状態が発生しても、第１出力端子へ電力を供給することができる。
【００３２】
また、例えば、前記制御部が前記第１出力端子への電力供給を開始してから前記第２出力端子への電力供給の開始を遅らせる前記所定期間は、３分以上でもよい。
【００３３】
これにより、配電制御装置は、第２負荷機器の状態が落ち着いた後に、第２負荷機器を接続するための第２出力端子へ電力を供給することができる。
【００３４】
また、例えば、前記制御部が前記第１出力端子への電力供給を開始してから前記第２出力端子への電力供給の開始を遅らせる前記所定期間は、３０分以内でもよい。
【００３５】
これにより、配電制御装置は、第２出力端子への電力供給を開始するまでの時間が長くなりすぎることを回避することができる。
【００３６】
また、例えば、前記配電制御装置は、さらに、前記第２出力端子への電力供給を開始するまでの時間を報知する報知部を備えてもよい。
【００３７】
これにより、配電制御装置は、第２出力端子への電力供給を開始するまでの時間をユーザに通知することができる。
【００３８】
また、例えば、前記第２負荷機器は、物質を冷蔵する冷蔵装置であり、前記第２出力端子は、前記冷蔵装置を接続するための出力端子でもよい。
【００３９】
これにより、配電制御装置は、冷蔵装置用の第２出力端子への電力供給を適切に開始することができる。
【００４０】
また、例えば、前記冷蔵装置は、インバータを有するインバータ型冷蔵装置とは異なるインダクション型冷蔵装置でもよい。
【００４１】
これにより、配電制御装置は、モータの回転数を変更することが困難なインダクション型冷蔵装置への電力供給を適切に開始することができる。
【００４２】
また、例えば、前記第１負荷機器は、照明装置または通信装置であり、前記第１出力端子は、前記照明装置または前記通信装置を接続するための出力端子でもよい。
【００４３】
これにより、配電制御装置は、照明装置用または通信装置用の第１出力端子への電力供給を比較的早期に開始することができる。
【００４４】
また、例えば、前記配電制御装置は、さらに、前記第１出力端子および前記第２出力端子への電力供給元を前記系統電源および前記インバータのいずれかに切り替える第３スイッチを備え、前記制御部は、前記停電が検知されなかった際に前記第３スイッチを制御することにより前記系統電源から前記第１出力端子および前記第２出力端子へ電力を供給し、前記停電が検知された際に前記第３スイッチを制御することにより前記インバータから前記第１出力端子および前記第２出力端子へ電力を供給してもよい。
【００４５】
これにより、配電制御装置は、停電でない場合に、系統電源から電力を供給し、停電の場合に、蓄電池からインバータを介して電力を供給することができる。
【００４６】
また、例えば、前記配電制御装置は、さらに、前記蓄電池から出力された電力を直流電力から交流電力へ変換する前記インバータを備えてもよい。
【００４７】
これにより、配電制御装置は、蓄電池から供給される電力を配電制御装置の内部で適切に変換することができる。
【００４８】
また、例えば、前記配電制御装置は、さらに、前記蓄電池を備えてもよい。
【００４９】
これにより、配電制御装置は、配電制御装置が有する蓄電池によって、電力を供給することができる。
【００５０】
また、例えば、前記蓄電池は、前記配電制御装置から取り外し可能、かつ、前記配電制御装置とは異なる電気機器に接続可能であり、前記配電制御装置から取り外され前記電気機器に接続された際に、前記電気機器に電力を供給してもよい。
【００５１】
これにより、配電制御装置は、別の用途に利用可能な蓄電池を停電時の電力供給に用いることができる。
【００５２】
さらに、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００５３】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００５４】
（実施の形態１）
図１は、本実施の形態における配電制御装置の構成を示すブロック図である。図１に示された配電制御装置１００は、第１スイッチ１１１、第２スイッチ１１２、第１出力端子１２１、第２出力端子１２２、および、制御部１３０を備える。配電制御装置１００は、蓄電池１５０からインバータ１４０を介して供給される電力の配電を制御する。
【００５５】
第１出力端子１２１は、第１負荷機器１６１を接続するための出力端子である。つまり、第１出力端子１２１には、第１負荷機器１６１が接続される。第２出力端子１２２は、第２負荷機器１６２を接続するための出力端子である。つまり、第２出力端子１２２には、第２負荷機器１６２が接続される。第２負荷機器１６２は、モータで動作する圧縮機を有する。
【００５６】
第１スイッチ１１１は、インバータ１４０と第１出力端子１２１との間の電力経路（電力線）の導通および非導通を切り替えるためのスイッチである。第２スイッチ１１２は、インバータ１４０と第２出力端子１２２との間の電力経路の導通および非導通を切り替えるためのスイッチである。
【００５７】
制御部１３０は、系統電源の停電を検知し、第１スイッチ１１１および第２スイッチ１１２を制御することによりインバータ１４０から第１出力端子１２１および第２出力端子１２２へ電力を供給する。
【００５８】
図２は、図１に示された配電制御装置１００の動作を示すフローチャートである。まず、制御部１３０は、停電を検知する（Ｓ１０１）。そして、制御部１３０は、インバータ１４０から第１出力端子１２１および第２出力端子１２２へ電力を供給する（Ｓ１０２、Ｓ１０３）。
【００５９】
具体的には、制御部１３０は、停電が検知された場合、第２出力端子１２２への電力供給を開始せずに第１出力端子１２１への電力供給を開始する（Ｓ１０２）。次に、制御部１３０は、第１出力端子１２１への電力供給を開始してから所定期間遅らせて第２出力端子１２２への電力供給を開始する（Ｓ１０３）。
【００６０】
上記の動作により、配電制御装置１００は、停電の際に、第２負荷機器１６２の状態が落ち着いてから、第２負荷機器１６２を接続するための第２出力端子１２２へ電力を供給することができる。したがって、配電制御装置１００は、停電の際に、第１負荷機器１６１および第２負荷機器１６２に対して電力を適切に供給することができる。
【００６１】
特に、第２負荷機器１６２は、モータで動作する圧縮機を有する。したがって、第２負荷機器１６２に対して、停電直後に電力を供給することが適切でない場合がある。そのため、配電制御装置１００は、所定期間遅らせて第２出力端子１２２への電力供給を開始する。これにより、配電制御装置１００は、第２負荷機器１６２の状態が落ち着いてから第２負荷機器１６２へ電力を供給することができる。
【００６２】
図３は、図１に示された配電制御装置１００の第１変形例の構成を示すブロック図である。図３に示された配電制御装置１０１は、図１に示された配電制御装置１００と同様に、第１スイッチ１１１、第２スイッチ１１２、第１出力端子１２１、第２出力端子１２２、および、制御部１３０を備える。配電制御装置１０１は、蓄電池１５０からインバータ１４０を介して供給される電力の配電を制御する。
【００６３】
配電制御装置１０１では、第１スイッチ１１１が、インバータ１４０と第１出力端子１２１との間の電力経路、および、インバータ１４０と第２出力端子１２２との間の電力経路の共通部分に配置される。そして、第１スイッチ１１１は、インバータ１４０と第１出力端子１２１との間の電力経路と、インバータ１４０と第２出力端子１２２との間の電力経路とにおいて共通する電力経路の導通および非導通を切り替える。第２スイッチ１１２は、共通の電力経路と第２出力端子１２２との間の電力経路の導通および非導通を切り替える。
【００６４】
すなわち、第１スイッチ１１１は、インバータ１４０と第１出力端子１２１との間の電力経路の導通および非導通を切り替えるとともに、インバータ１４０と第２スイッチ１１２との間の電力経路の導通および非導通を切り替える。第２スイッチ１１２は、第１スイッチ１１１と第２出力端子１２２との間の電力経路の導通および非導通を切り替える。
【００６５】
配電制御装置１０１も、図２に示された動作を行うことで、配電制御装置１００と同様に、第１負荷機器１６１および第２負荷機器１６２に対して電力を適切に供給することができる。また、配電制御装置１０１は、第１出力端子１２１と第２出力端子１２２との両方への電力供給の制御に第１スイッチ１１１を用いることができる。
【００６６】
図４は、図１に示された配電制御装置１００の第２変形例の構成を示すブロック図である。図４に示された配電制御装置１０２は、図１に示された配電制御装置１００と同様に、第１スイッチ１１１、第２スイッチ１１２、第１出力端子１２１、第２出力端子１２２、および、制御部１３０を備える。また、配電制御装置１０２は、さらに、第３スイッチ１１３を備える。第３スイッチ１１３は、第１出力端子１２１および第２出力端子１２２への電力供給元を系統電源およびインバータ１４０のいずれかに切り替える。
【００６７】
制御部１３０は、停電が検知されなかった際に第３スイッチ１１３を制御することにより系統電源から第１出力端子１２１および第２出力端子１２２へ電力を供給する。また、制御部１３０は、停電が検知された際に第３スイッチ１１３を制御することによりインバータ１４０から第１出力端子１２１および第２出力端子１２２へ電力を供給する。
【００６８】
これにより、配電制御装置１０２は、停電でない場合に、系統電源から供給される電力を第１負荷機器１６１および第２負荷機器１６２へ供給することができる。また、配電制御装置１０２は、停電の場合に、蓄電池１５０からインバータ１４０を介して供給される電力を第１負荷機器１６１および第２負荷機器１６２へ供給することができる。
【００６９】
図５は、図１に示された配電制御装置１００の第３変形例の構成を示すブロック図である。図５に示された配電制御装置１０３は、図３に示された配電制御装置１０１と同様に、第１スイッチ１１１、第２スイッチ１１２、第１出力端子１２１、第２出力端子１２２、および、制御部１３０を備える。
【００７０】
また、第１スイッチ１１１が、第１出力端子１２１および第２出力端子１２２への電力供給元を系統電源およびインバータ１４０のいずれかに切り替える第３スイッチ１１３を有する。つまり、第１スイッチ１１１が、第１出力端子１２１および第２出力端子１２２への電力供給元を系統電源およびインバータ１４０のいずれかに切り替えてもよい。
【００７１】
なお、第３スイッチ１１３が、インバータ１４０と第１出力端子１２１との間の電力経路の導通および非導通を切り替える第１スイッチ１１１を有してもよい。つまり、第３スイッチ１１３が、インバータ１４０と第１出力端子１２１との間の電力経路の導通および非導通を切り替えてもよい。
【００７２】
図６は、図１に示された配電制御装置１００の第４変形例の構成を示すブロック図である。図６に示された配電制御装置１０４は、図１に示された配電制御装置１００と同様に、第１スイッチ１１１、第２スイッチ１１２、第１出力端子１２１、第２出力端子１２２、および、制御部１３０を備える。また、配電制御装置１０４は、さらに、報知部１８０を備える。
【００７３】
報知部１８０は、例えば、第２出力端子１２２への電力供給を開始するまでの時間を報知する。具体的には、報知部１８０は、現時点から第２出力端子１２２への電力供給を開始するまでにかかる時間をＬＥＤ（発光ダイオード）によってユーザに報知してもよい。報知部１８０は、開始までの時間を音声でユーザに報知してもよい。
【００７４】
また、報知部１８０は、開始までの時間に限らず、配電制御装置１０４の状態を報知してもよい。例えば、報知部１８０は、第１出力端子１２１および第２出力端子１２２のそれぞれに対して電力が供給されているか否かを報知してもよい。
【００７５】
図７は、図１に示された配電制御装置１００の第５変形例の構成を示すブロック図である。図７に示された配電制御装置１０５は、図１に示された配電制御装置１００と同様に、第１スイッチ１１１、第２スイッチ１１２、第１出力端子１２１、第２出力端子１２２、および、制御部１３０を備える。また、配電制御装置１０５は、さらに、インバータ１４０および蓄電池１５０を備える。インバータ１４０は、蓄電池１５０から出力された電力を直流電力から交流電力へ変換する。
【００７６】
これにより、配電制御装置１０５は、配電制御装置１０５が有する蓄電池１５０によって、電力を供給することができる。また、配電制御装置１０５は、インバータ１４０により、蓄電池１５０から供給される電力を配電制御装置１０５の内部で適切に変換することができる。
【００７７】
蓄電池１５０は、取り外し可能でもよいし、配電制御装置１０５とは異なる電気機器に接続可能でもよい。そして、蓄電池１５０は、配電制御装置１０５とは異なる電気機器に電力を供給してもよい。
【００７８】
本実施の形態に係る配電制御装置１００〜１０５は、停電の際に、第２負荷機器１６２の状態が落ち着いてから、第２負荷機器１６２を接続するための第２出力端子１２２へ電力を供給することができる。したがって、配電制御装置１００〜１０５は、停電の際に、第１負荷機器１６１および第２負荷機器１６２に対して電力を適切に供給することができる。
【００７９】
なお、制御部１３０は、停電が検知された場合、第１出力端子１２１への電力供給と第２出力端子１２２への電力供給とを同時に開始してもよい。そして、制御部１３０は、電力供給が同時に開始された後にインバータ１４０が停止する場合に、第２出力端子１２２への電力供給を開始せずに第１出力端子１２１への電力供給を開始してもよい。そして、制御部１３０は、第１出力端子１２１への電力供給を開始してから所定期間遅らせて第２出力端子１２２への電力供給を開始してもよい。
【００８０】
また、制御部１３０は、電力供給が同時に開始された後にインバータ１４０が停止する場合に、再度、第１出力端子１２１への電力供給と第２出力端子１２２への電力供給とを同時に開始してもよい。そして、制御部１３０は、電力供給が同時に開始された後にインバータ１４０が停止する動作が複数回繰り返された場合に、第２出力端子１２２への電力供給を開始せずに第１出力端子１２１への電力供給を開始してもよい。
【００８１】
また、制御部１３０が第１出力端子１２１への電力供給を開始し所定期間遅らせて第２出力端子１２２への電力供給を開始した後にインバータ１４０が停止する場合に、制御部１３０は、第１出力端子１２１のみへ電力を供給してもよい。また、第２出力端子１２２への電力供給が開始された後にインバータ１４０が停止する動作が複数回繰り返された場合に、制御部１３０は、第１出力端子１２１のみへ電力を供給してもよい。
【００８２】
また、制御部１３０は、インバータ１４０から第１出力端子１２１および第２出力端子１２２の少なくとも一方への電力供給を開始する際にインバータ１４０の過負荷保護機能を緩和または停止させてもよい。
【００８３】
また、例えば、第２負荷機器１６２は、冷媒を圧縮する圧縮機を有していてもよい。具体的には、第２負荷機器１６２は、物質を冷蔵する冷蔵装置でもよい。第２出力端子１２２は、冷蔵装置を接続するための出力端子でもよい。ここで、冷蔵装置は、インダクション型冷蔵装置でもよい。インダクション型冷蔵装置は、インバータを有するインバータ型冷蔵装置とは異なる冷蔵装置である。第２負荷機器１６２は、インバータを有しないその他の機器でもよい。
【００８４】
また、第１負荷機器１６１は、基本的には、第２負荷機器１６２とは異なる機器であり、特定の機器に限定されなくてもよい。例えば、第１負荷機器１６１は、照明装置または通信装置でもよい。第１出力端子１２１は、照明装置または通信装置を接続するための出力端子でもよい。
【００８５】
また、制御部１３０は、第１出力端子１２１への電力供給を開始してから３分以上の期間遅らせて第２出力端子１２２への電力供給を開始してもよい。３分は、冷媒が安定するまでにかかる最短時間の例に対応する。制御部１３０は、第１出力端子１２１への電力供給を開始してから３０分以内の期間遅らせて第２出力端子１２２への電力供給を開始してもよい。３０分は、庫内の温度が所定温度以下に維持される最長時間の例に対応する。
【００８６】
また、本実施の形態に係る構成、および、複数の変形例に係る複数の構成が、任意に組み合わされてもよい。また、本実施の形態および複数の変形例に、構成要素が追加されてもよい。追加の構成要素は、本実施の形態および複数の変形例で示された構成要素でもよい。すなわち、複数の蓄電池、複数のインバータ、複数の第１スイッチ、複数の第２スイッチ、複数の第１出力端子、複数の第２出力端子、複数の制御部、複数の第１負荷機器、および、複数の第２負荷機器などが用いられてもよい。
【００８７】
（実施の形態２）
本実施の形態は、実施の形態１で示された配電制御装置１００〜１０５に関する具体的な例を示す。
【００８８】
図８は、本実施の形態における配電制御装置の概要を示す概念図である。図８には、分電盤２０１、配電制御装置２０２、照明装置２０３、および、冷蔵装置２０４が示されている。
【００８９】
分電盤２０１は、分岐回路を有する配電盤である。分電盤２０１は、系統電源から供給される電力を分岐する。基本的には、分電盤２０１は、複数の負荷機器に電力を供給する。また、分電盤２０１は、漏電遮断器（漏電ブレーカ）および配線用遮断器（安全ブレーカ）等を有する。ここでは、分電盤２０１は、系統電源から供給される電力を配電制御装置２０２に供給する。
【００９０】
配電制御装置２０２は、実施の形態１の配電制御装置１００〜１０５に対応する。配電制御装置２０２は、蓄電池およびインバータを有し、蓄電池からインバータを介して供給される電力の配電を制御する。また、配電制御装置２０２は、系統電源から分電盤２０１を解して供給される電力の配電を制御する。そして、配電制御装置２０２は、系統電源または蓄電池から供給される電力を照明装置２０３および冷蔵装置２０４へ供給する。
【００９１】
具体的には、配電制御装置２０２は、通常時に系統電源から照明装置２０３および冷蔵装置２０４へ電力を供給する。そして、配電制御装置２０２は、系統電源の停電時に蓄電池から照明装置２０３および冷蔵装置２０４へ電力を供給する。すなわち、配電制御装置２０２は、バックアップ電源装置でもある。
【００９２】
照明装置２０３は、実施の形態１の第１負荷機器１６１に対応する。具体的には、照明装置２０３は、配電制御装置２０２から供給された電力を用いて発光する装置である。照明装置２０３の電力消費は、比較的小さい。ここでは、例として、照明装置２０３が用いられるが、照明装置２０３の代わりにその他の装置が用いられてもよい。
【００９３】
冷蔵装置２０４は、実施の形態１の第２負荷機器１６２に対応する。具体的には、冷蔵装置２０４は、モータで動作する圧縮機を有し、配電制御装置２０２から供給された電力を用いて物質を冷蔵するための装置である。例えば、冷蔵装置２０４は、家庭用の装置でもよいし、業務用の装置でもよいし、冷蔵庫でもよいし、冷凍機でもよいし、冷蔵室または冷凍室に対応する装置でもよい。
【００９４】
図９は、図８に示された配電制御装置２０２の構成を示すブロック図である。図９の通り、配電制御装置２０２は、入力端子３０１および３０４、出力端子３０２および３０３、ＤＣＡＣインバータ（Ｄｉｒｅｃｔ  Ｃｕｒｒｅｎｔ／Ａｌｔｅｒｎａｔｉｎｇ  Ｃｕｒｒｅｎｔ  Ｉｎｖｅｒｔｅｒ）３０５、制御基板３０６、ＬＥＤ基板３０７、充電回路基板３０８、蓄電池３３１〜３３３、ブレーカ３４１〜３４３、および、スイッチ３５１等を備える。
【００９５】
入力端子３０１は、系統電源から分電盤２０１を介して供給される電力が入力される入力端子である。配電制御装置２０２には、入力端子３０１を介して、系統電源からの電力が入力される。
【００９６】
出力端子３０２は、実施の形態１の第１出力端子１２１に対応する。具体的には、出力端子３０２は、照明装置２０３を接続するための出力端子である。配電制御装置２０２は、出力端子３０２を介して、照明装置２０３へ電力を供給する。
【００９７】
出力端子３０３は、実施の形態１の第２出力端子１２２に対応する。具体的には、出力端子３０３は、冷蔵装置２０４を接続するための出力端子である。配電制御装置２０２は、出力端子３０３を介して、冷蔵装置２０４へ電力を供給する。
【００９８】
入力端子３０４は、発電システムから供給される電力が入力される入力端子である。配電制御装置２０２には、入力端子３０４を介して、発電システムからの電力が入力される。発電システムは、太陽光発電システムでもよいし、燃料電池システムでもよい。発電システムは、停電の際、電力を補う。
【００９９】
ＤＣＡＣインバータ３０５は、蓄電池３３１、３３２および３３３から供給される電力を直流電力から交流電力へ変換する。つまり、蓄電池３３１、３３２および３３３からＤＣＡＣインバータ３０５へ直流電力が入力され、ＤＣＡＣインバータ３０５から交流電力が出力される。そして、ＤＣＡＣインバータ３０５は、出力端子３０２および３０３へ交流電力を供給する。ここでは、異常動作を防止するため、ＤＣＡＣインバータ３０５において、絶縁トランス素子が用いられる。
【０１００】
制御基板３０６は、スイッチ３１１〜３１３、３１６および３１７、ＭＣＵ（Ｍｉｃｒｏ  Ｃｏｎｔｒｏｌ  Ｕｎｉｔ）３１４、および、ＭＵＸ（Ｍｕｌｔｉｐｌｅｘｅｒ）３１５等を含む。すなわち、制御基板３０６において、これらの素子が実装される。
【０１０１】
スイッチ３１１は、実施の形態１の第１スイッチ１１１および第３スイッチ１１３に対応する。具体的には、スイッチ３１１は、出力端子３０２および３０３への電力の供給元を系統電源およびバックアップ電源（蓄電池３３１〜３３３）のいずれかに切り替える。
【０１０２】
また、スイッチ３１１は、スイッチ３１２および３１３を含む。スイッチ３１２が開かれ、スイッチ３１３が閉じられることにより、電力の供給元が系統電源に切り替えられる。スイッチ３１２が閉じられ、スイッチ３１３が開かれることにより、電力の供給元がバックアップ電源に切り替えられる。
【０１０３】
スイッチ３１２は、実施の形態１の第１スイッチ１１１に対応する。具体的には、スイッチ３１２は、ＤＣＡＣインバータ３０５と出力端子３０２との間の電力経路の導通および非導通を切り替え、かつ、ＤＣＡＣインバータ３０５と出力端子３０３との間の電力経路の導通および非導通を切り替える。また、スイッチ３１２は、ＭＣＵ３１４の制御に基づいて動作するリレー（継電器）である。
【０１０４】
スイッチ３１３は、系統電源と出力端子３０２との間の電力経路の導通および非導通を切り替え、かつ、系統電源と出力端子３０３との間の電力経路の導通および非導通を切り替える。また、スイッチ３１３は、ＭＣＵ３１４の制御に基づいて動作するリレーである。
【０１０５】
ＭＣＵ３１４は、実施の形態１の制御部１３０に対応する。ＭＣＵ３１４は、配電制御装置２０２に含まれる各構成要素の動作を制御することにより、配電制御装置２０２の全体の動作を制御する。
【０１０６】
ＭＵＸ３１５は、蓄電池３３１、３３２および３３３から信号を受信し、ＭＣＵ３１４に信号を送信するマルチプレクサの機能を有する。ＭＵＸ３１５は、ＭＣＵ３１４から信号を受信し、蓄電池３３１、３３２および３３３へ信号を送信するデマルチプレクサの機能を有していてもよい。
【０１０７】
スイッチ３１６は、発電システムと充電回路基板３０８との間の電力経路の導通および非導通を切り替える。また、スイッチ３１６は、ＭＣＵ３１４の制御に基づいて動作するリレーである。
【０１０８】
スイッチ３１７は、系統電源と充電回路基板３０８との間の電力経路の導通および非導通を切り替える。また、スイッチ３１７は、ＭＣＵ３１４の制御に基づいて動作するリレーである。
【０１０９】
ＬＥＤ基板３０７は、実施の形態１の報知部１８０に対応する。ＬＥＤ基板３０７は、残容量ＬＥＤ３２１、運転ＬＥＤ３２２、スイッチ３２３および３２４を含む。すなわち、ＬＥＤ基板３０７において、これらの素子が実装される。
【０１１０】
残容量ＬＥＤ３２１は、蓄電池３３１〜３３３の残容量を示すＬＥＤである。残容量ＬＥＤ３２１は、ＭＣＵ３１４の制御に基づいて発光する。例えば、残容量ＬＥＤ３２１は、複数のＬＥＤを含み、発光するＬＥＤの数で蓄電池３３１〜３３３の残容量を示す。また、残容量ＬＥＤ３２１は、赤色のＬＥＤ、黄色のＬＥＤ、および、青色のＬＥＤなどを含み、発光するＬＥＤの色で蓄電池３３１〜３３３の残容量を示してもよい。
【０１１１】
運転ＬＥＤ３２２は、配電制御装置２０２の運転の状態を示すＬＥＤである。運転ＬＥＤ３２２は、ＭＣＵ３１４の制御に基づいて発光する。例えば、電力が出力端子３０２および３０３に供給されている時に運転ＬＥＤ３２２が発光する。配電制御装置２０２がバックアップ電源装置として運転している時に運転ＬＥＤ３２２が発光してもよい。つまり、電力が蓄電池３３１、３３２および３３３から供給されている時に運転ＬＥＤ３２２が発光してもよい。
【０１１２】
また、運転ＬＥＤ３２２は、複数のＬＥＤを含み、電力の供給元が系統電源か蓄電池３３１〜３３３かに基づいて、発光するＬＥＤの数または色を変更してもよい。
【０１１３】
スイッチ３２３は、配電制御装置２０２が運転を開始するための押しボタンスイッチである。例えば、ユーザがスイッチ３２３をオンにすることにより、ＭＣＵ３１４は系統電源またはバックアップ電源（蓄電池３３１〜３３３）から出力端子３０２および３０３への電力供給を開始する。
【０１１４】
あるいは、ユーザがスイッチ３２３をオンにすることにより、配電制御装置２０２がバックアップ電源の運転を開始してもよい。つまり、ユーザがスイッチ３２３をオンにすることにより、ＭＣＵ３１４は電力の供給元を系統電源からバックアップ電源（蓄電池３３１〜３３３）へ切り替えてもよい。
【０１１５】
スイッチ３２４は、交流電力の周波数を５０Ｈｚまたは６０Ｈｚに切り替えるためのスイッチである。スイッチ３２４がオンまたはオフにされることにより、ＤＣＡＣインバータ３０５から出力される交流電力の周波数が５０Ｈｚまたは６０Ｈｚに切り替えられる。
【０１１６】
ＬＥＤ基板３０７は、さらに、出力端子３０３への電力供給が開始されるまでの時間などを表示する表示パネルを含んでもよい。また、出力端子３０３への電力供給が開始されるまでの時間などを音声で出力するスピーカを含んでもよい。
【０１１７】
充電回路基板３０８は、充電回路を含む。すなわち、充電回路基板３０８には、充電回路が実装される。充電回路は、系統電源または発電システムから供給される電力を交流電力から直流電力に変換するＡＣＤＣコンバータを備える。そして、充電回路は、蓄電池３３１、３３２および３３３へ電力を供給することにより、蓄電池３３１、３３２および３３３に電力を充電させる。ここでは、異常動作を防止するため、充電回路において、絶縁トランス素子が用いられる。
【０１１８】
蓄電池３３１、蓄電池３３２および蓄電池３３３は、それぞれ電力を蓄えるバッテリである。例えば、蓄電池３３１〜３３３は、充電回路基板３０８から供給された電力を蓄える。そして、蓄電池３３１〜３３３は、ＤＣＡＣインバータ３０５へ電力を放電することにより、ＤＣＡＣインバータ３０５へ電力を供給する。
【０１１９】
ブレーカ３４１は、過負荷を検知して電力経路を遮断する配線用遮断器であり、漏電を検知して電力経路を遮断するＥＬＢ（漏電遮断器：Ｅａｒｔｈ  Ｌｅａｋａｇｅ  Ｂｒｅａｋｅｒ）でもある。例えば、ブレーカ３４１は、照明装置２０３および冷蔵装置２０４の全体の過負荷を検知して、電力経路を遮断する。
【０１２０】
ブレーカ３４２は、過負荷を検知して電力経路を遮断する配線用遮断器である。例えば、ブレーカ３４２は、照明装置２０３への電力または電流の過負荷を検知して、電力経路を遮断する。
【０１２１】
ブレーカ３４３は、過負荷を検知して電力経路を遮断する配線用遮断器である。例えば、ブレーカ３４３は、冷蔵装置２０４への電力または電流の過負荷を検知して、電力経路を遮断する。
【０１２２】
スイッチ３５１は、実施の形態１の第２スイッチ１１２に対応する。具体的には、スイッチ３５１は、ＤＣＡＣインバータ３０５と出力端子３０３との間の電力経路の導通および非導通を切り替えるスイッチであり、かつ、系統電源と出力端子３０３との間の電力経路の導通および非導通を切り替えるスイッチである。また、スイッチ３５１は、ＭＣＵ３１４の制御に基づいて動作するリレーである。
【０１２３】
上記の複数の構成要素を備える配電制御装置２０２は、通常時に系統電源の電力を照明装置２０３および冷蔵装置２０４に供給し、停電時にバックアップ電源（蓄電池３３１〜３３３）の電力を照明装置２０３および冷蔵装置２０４に供給する。
【０１２４】
より具体的には、通常時において、ＭＣＵ３１４は、スイッチ３１２を開き、スイッチ３１３を閉じ、スイッチ３５１を閉じ、スイッチ３１７を閉じ、スイッチ３１６を開く。これにより、系統電源の電力が、照明装置２０３、冷蔵装置２０４および蓄電池３３１〜３３３に供給される。
【０１２５】
そして、停電時において、ＭＣＵ３１４は、スイッチ３１２を閉じ、スイッチ３１３を開き、スイッチ３５１を閉じ、スイッチ３１７を開き、スイッチ３１６を閉じる。これにより、蓄電池３３１〜３３３の電力が、照明装置２０３および冷蔵装置２０４に供給される。また、発電システムの電力が蓄電池３３１〜３３３に供給される。
【０１２６】
上記の構成によって、停電時においても、配電制御装置２０２は、照明装置２０３および冷蔵装置２０４に電力を供給することができる。しかし、配電制御装置２０２が冷蔵装置２０４に電力を供給することが困難な場合、または、配電制御装置２０２が冷蔵装置２０４に電力を供給しない方がよい場合がある。以下、具体的に説明する。
【０１２７】
図１０は、図８に示された冷蔵装置２０４に対して冷蔵装置２０４の初期起動の際に流れる電流の例を示す図である。図１０に示された例では、バックアップ電源（蓄電池３３１〜３３３）を用いずに、系統電源のみから冷蔵装置２０４へ電力が供給されることが想定されている。
【０１２８】
冷蔵装置２０４が停止している状態から起動する際に、冷蔵装置２０４に対して大きな電流が流れる。起動の際のこのような大きな電流は、突入電流とも呼ばれる。図１０の例では、起動の際に２４Ａの電流が流れる。そして、６４ミリ秒後には、電流は安定し定常状態で流れる。このように、突入電流は大きいが、突入電流が流れる期間は短い。
【０１２９】
系統電源が用いられる場合、上記の突入電流によって、系統電源に障害が発生する可能性は少ない。しかし、バックアップ電源（蓄電池３３１〜３３３）が用いられる場合、上記の突入電流によって、配電制御装置２０２の動作が停止する可能性がある。
【０１３０】
具体的には、ＤＣＡＣインバータ３０５に大きな電流が流れることにより、ＤＣＡＣインバータ３０５の過負荷保護機能（過負荷保護回路）が作動する。つまり、ＤＣＡＣインバータ３０５は、ＤＣＡＣインバータ３０５の回路が過負荷によって破損しないように、動作を停止する。したがって、配電制御装置２０２は、バックアップ電源（蓄電池３３１〜３３３）から冷蔵装置２０４へ電力を供給することができない場合がある。
【０１３１】
そのため、配電制御装置２０２のＭＣＵ３１４は、ＤＣＡＣインバータ３０５の過負荷保護機能を停止または緩和させてから、バックアップ電源（蓄電池３３１〜３３３）から冷蔵装置２０４への電力供給を開始する。突入電流が流れる期間は短いため、ＤＣＡＣインバータ３０５の回路が過負荷によって破損する可能性は低い。したがって、冷蔵装置２０４の初期起動の際に、ＭＣＵ３１４が過負荷保護機能を停止または緩和させても、障害が発生する可能性は低い。
【０１３２】
上記の制御によって、配電制御装置２０２は、適切に、バックアップ電源（蓄電池３３１〜３３３）から冷蔵装置２０４へ電力を供給することができる。なお、突入電流は、冷蔵装置２０４以外の装置でも発生する。例えば、照明装置２０３でも突入電流が発生する可能性がある。そのため、ＭＣＵ３１４は、バックアップ電源（蓄電池３３１〜３３３）から照明装置２０３への電力供給を開始する際に、ＤＣＡＣインバータ３０５の過負荷保護機能を停止または緩和させてもよい。
【０１３３】
図１１は、図８に示された冷蔵装置２０４に対して停電および復電の際に流れる電流の例を示す図である。図１１に示された例でも、図１０に示された例と同様に、バックアップ電源（蓄電池３３１〜３３３）を用いずに、系統電源のみから冷蔵装置２０４へ電力が供給されることが想定されている。
【０１３４】
冷蔵装置２０４が安定して動作している場合、電流は定常状態で流れる。そして、系統電源の停電が発生した場合、冷蔵装置２０４への電力供給が停止し、冷蔵装置２０４へ電流が流れなくなる。図１１の例では、系統電源が、停電してから５秒後に復電する。すなわち、系統電源が停電してから５秒後に、冷蔵装置２０４へ電力が供給される。
【０１３５】
しかし、冷蔵装置２０４の内部の冷媒が停電によって不安定になっている。冷媒が不安定な状態では、冷蔵装置２０４のモータおよび圧縮機が正常に動作しない。そのため、冷蔵装置２０４は、大きな電力を用いる。したがって、冷蔵装置２０４に大きな電流が流れる。以下、この現象を具体的に説明する。
【０１３６】
通常時において、冷蔵装置２０４は、圧縮機を用いて庫内の物質を冷却する。具体的には、気化した冷媒が、圧縮機によって圧縮される。圧縮された冷媒は、外気によって冷却され、液化する。その後、液化した冷媒が、気化することによって庫内の熱を吸収する。気化した冷媒は、再び、圧縮機によって圧縮される。このような動作が繰り返されることにより、冷蔵装置２０４は、庫内の物質を冷却することができる。
【０１３７】
一方、停電によって電力供給が停止された場合、冷媒が適切に循環せずに、液化した冷媒が圧縮機に入る。圧縮機が液化した冷媒を圧縮することは困難である。このような状態で、電力供給が開始されても、圧縮機を駆動するモータが動かず、負荷が大きくなる。そのため、冷蔵装置２０４へ供給される電力が大きくなり、冷蔵装置２０４に大きな電流が流れる。特に、冷蔵装置２０４が内部にインバータを有していないインダクション型冷蔵装置である場合、モータの回転数を変更することが困難であるため、影響は大きい。
【０１３８】
図１１の例では、１３Ａの電流が１３秒間流れ続ける。このような大きな電流が、長時間流れることにより、冷蔵装置２０４のオーバーロードリレーが電力供給を遮断する。すなわち、冷蔵装置２０４は、冷蔵装置２０４の回路が過負荷によって破損しないように、動作を停止する。その後、冷媒が安定し、モータおよび圧縮機が正常に動作することができる状態になってから、オーバーロードリレーは電力供給の遮断を解除する。これにより、冷蔵装置２０４は通常状態に復帰する。
【０１３９】
上記のように、電力供給の再開時において、大きな電流が長時間流れる。系統電源が用いられる場合、オーバーロードリレーが作動するまで電力が供給される。しかし、配電制御装置２０２が、オーバーロードリレーが作動するまで、バックアップ電源（蓄電池３３１〜３３３）から冷蔵装置２０４へ電力を供給することは困難である。具体的には、長時間大きな電流が流れることにより、ＤＣＡＣインバータ３０５の回路が破損する可能性がある。
【０１４０】
そのため、配電制御装置２０２は、停電後しばらく時間が経過してから、冷蔵装置２０４への電力供給を開始する。これにより、配電制御装置２０２は、ＤＣＡＣインバータ３０５の回路を保護しつつ、冷蔵装置２０４へ電力を供給することができる。
【０１４１】
図１２は、図９に示された配電制御装置２０２の動作を示すフローチャートである。図１２は、主に、ＭＣＵ３１４による配電制御装置２０２の制御を示す。また、図１２は、配電制御装置２０２が系統電源から電力を照明装置２０３および冷蔵装置２０４へ供給している状態からの動作を示す。すなわち、スイッチ３１２および３１６は開かれ、スイッチ３１３、３１７および３５１は閉じられている。
【０１４２】
まず、ＭＣＵ３１４は、系統電源が停電しているか否かを判定する（Ｓ２０１）。例えば、ＭＣＵ３１４は、系統電源の停電を検知して、系統電源が停電していると判定する。具体的には、ＭＣＵ３１４は、変流器（ＣＴ：Ｃｕｒｒｅｎｔ  Ｔｒａｎｓｆｏｒｍｅｒ）を介して系統電源からの電流を計測することにより、停電を検知してもよい。また、ＭＣＵ３１４は、スイッチ３２３等へのユーザの入力によって、停電を検知してもよい。
【０１４３】
系統電源が停電していないと判定された場合（Ｓ２０１でＮｏ）、配電制御装置２０２は通常通りの動作を継続する。ＭＣＵ３１４は、停電が検知されるまで、停電を検知するための動作を繰り返してもよい。
【０１４４】
系統電源が停電していると判定された場合（Ｓ２０１でＹｅｓ）、ＭＣＵ３１４は、スイッチ３１３を開くことにより、系統電源からの電力供給を遮断する。また、ＭＣＵ３１４は、バックアップ電源からの電力供給を開始する前に、スイッチ３５１および３１７を開き、スイッチ３１６を閉じる。
【０１４５】
そして、ＭＣＵ３１４は、ＤＣＡＣインバータ３０５の過負荷保護機能を停止する（Ｓ２０２）。具体的には、ＭＣＵ３１４は、過負荷保護機能を停止するための制御信号をＤＣＡＣインバータ３０５へ送信することにより、ＤＣＡＣインバータ３０５の過負荷保護機能を停止する。ＭＣＵ３１４は、過負荷保護機能の停止の代わりに過負荷保護機能を緩和してもよい。
【０１４６】
次に、ＭＣＵ３１４は、照明装置２０３への電力供給を開始する（Ｓ２０３）。具体的には、ＭＣＵ３１４は、スイッチ３１２を閉じて、蓄電池３３１、３３２および３３３からＤＣＡＣインバータ３０５を介して出力端子３０２へ電力を供給する。ＭＣＵ３１４は、電力を出力するように、蓄電池３３１〜３３３およびＤＣＡＣインバータ３０５を制御してもよい。
【０１４７】
次に、ＭＣＵ３１４は、ＤＣＡＣインバータ３０５の過負荷保護機能を復帰する（Ｓ２０４）。具体的には、ＭＣＵ３１４は、過負荷保護機能を復帰するための制御信号をＤＣＡＣインバータ３０５へ送信することにより、ＤＣＡＣインバータ３０５の過負荷保護機能を停止または緩和の制御から復帰する。
【０１４８】
次に、ＭＣＵ３１４は、ＤＣＡＣインバータ３０５の過負荷保護機能の復帰後も、出力端子３０２への電力供給が継続されているか否かを判定する（Ｓ２０５）。
【０１４９】
出力端子３０２への電力供給が継続されていない場合（Ｓ２０５でＮｏ）、ＭＣＵ３１４は、スイッチ３１２を開く。そして、ＭＣＵ３１４は、照明装置２０３への電力供給の開始が所定回数に到達したか否かを判定する（Ｓ２０６）。つまり、ＭＣＵ３１４は、照明装置２０３への電力供給の開始が所定回数繰り返されたか否かを判定する。
【０１５０】
照明装置２０３への電力供給の開始が所定回数に到達している場合（Ｓ２０６でＹｅｓ）、ＭＣＵ３１４は制御を終了する。すなわち、この場合、配電制御装置２０２は、照明装置２０３へも冷蔵装置２０４へも電力を供給しない。
【０１５１】
照明装置２０３への電力供給の開始が所定回数に到達していない場合（Ｓ２０６でＮｏ）、ＭＣＵ３１４は、再度、系統電源が停電していると判定した後の処理を繰り返す（Ｓ２０２〜Ｓ２０５）。
【０１５２】
出力端子３０２への電力供給が継続されている場合（Ｓ２０５でＹｅｓ）、ＭＣＵ３１４は、所定期間が経過しているか否かを判定する（Ｓ２０７）。ＭＣＵ３１４は、所定期間が経過していない場合（Ｓ２０７でＮｏ）、ＭＣＵ３１４は、再度、所定期間が経過したか否かを判定する（Ｓ２０７）。すなわち、ＭＣＵ３１４は、所定期間が経過するまで待機する。
【０１５３】
所定期間が経過している場合（Ｓ２０７でＹｅｓ）、ＭＣＵ３１４は、ＤＣＡＣインバータ３０５の過負荷保護機能を停止する（Ｓ２０８）。ＭＣＵ３１４は、過負荷保護機能の停止の代わりに過負荷保護機能を緩和してもよい。
【０１５４】
次に、ＭＣＵ３１４は、冷蔵装置２０４への電力供給を開始する（Ｓ２０９）。具体的には、ＭＣＵ３１４は、スイッチ３５１を閉じて、蓄電池３３１、３３２および３３３からＤＣＡＣインバータ３０５を介して出力端子３０３へ電力を供給する。これにより、出力端子３０２および出力端子３０３の両方に電力が供給される。
【０１５５】
次に、ＭＣＵ３１４は、ＤＣＡＣインバータ３０５の過負荷保護機能を復帰する（Ｓ２１０）。具体的には、ＭＣＵ３１４は、過負荷保護機能を復帰するための制御信号をＤＣＡＣインバータ３０５へ送信することにより、ＤＣＡＣインバータ３０５の過負荷保護機能を停止または緩和の制御から復帰する。
【０１５６】
次に、ＭＣＵ３１４は、ＤＣＡＣインバータ３０５の過負荷保護機能の復帰後も、出力端子３０２および出力端子３０３への電力供給が継続されているか否かを判定する（Ｓ２１１）。
【０１５７】
出力端子３０２および出力端子３０３への電力供給が継続されている場合（Ｓ２１１でＹｅｓ）、ＭＣＵ３１４は、制御を終了する。この場合、バックアップ電源から照明装置２０３および冷蔵装置２０４へ電力が継続して供給される。
【０１５８】
出力端子３０２および出力端子３０３への電力供給が継続されていない場合（Ｓ２１１でＮｏ）、ＭＣＵ３１４は、スイッチ３１２および３５１を開く。そして、ＭＣＵ３１４は、冷蔵装置２０４への電力供給の開始が所定回数に到達したか否かを判定する（Ｓ２１２）。つまり、ＭＣＵ３１４は、冷蔵装置２０４への電力供給の開始が所定回数繰り返されたか否かを判定する。
【０１５９】
冷蔵装置２０４への電力供給の開始が所定回数に到達している場合（Ｓ２１２でＹｅｓ）、ＭＣＵ３１４は冷蔵装置２０４へ電力を供給せずに照明装置２０３のみへ電力を供給する（Ｓ２１３）。つまり、この場合、ＭＣＵ３１４は、照明装置２０３への電力供給を開始するための動作（Ｓ２０２〜Ｓ２０６）を行って、冷蔵装置２０４への電力供給を行わずに、照明装置２０３への電力供給を継続する。
【０１６０】
冷蔵装置２０４への電力供給の開始が所定回数に到達していない場合（Ｓ２１２でＮｏ）、ＭＣＵ３１４は、再度、系統電源が停電していると判定した後の処理を繰り返す（Ｓ２０２〜Ｓ２１１）。
【０１６１】
上記の動作によって、配電制御装置２０２は、停電時に、照明装置２０３および冷蔵装置２０４への電力供給を適切に制御することができる。
【０１６２】
図１３は、図９に示された配電制御装置２０２の動作の例を示すタイムチャートである。まず、系統電源がＯＮであり、バックアップ電源から照明装置２０３への電力がＯＦＦであり、バックアップ電源から冷蔵装置２０４への電力がＯＦＦであり、ＤＣＡＣインバータ３０５の過負荷保護機能がＯＦＦである。つまり、系統電源は停電しておらず、バックアップ電源から照明装置２０３および冷蔵装置２０４へ電力は供給されておらず、ＤＣＡＣインバータ３０５の過負荷保護機能は停止している。
【０１６３】
その後、系統電源がＯＦＦになる。つまり、系統電源が停電する。系統電源がＯＦＦになってから、ΔＴ１の時間が経過した後、バックアップ電源から照明装置２０３への電力がＯＮになる。つまり、ΔＴ１の時間が経過した後、バックアップ電源から照明装置２０３へ電力が供給される。
【０１６４】
さらに、バックアップ電源から照明装置２０３への電力がＯＮになってから、ΔＴ２の時間が経過した後、ＤＣＡＣインバータ３０５の過負荷保護機能がＯＮになる。つまり、ΔＴ２の時間が経過した後、ＤＣＡＣインバータ３０５の過負荷保護機能が動作する。
【０１６５】
さらに、その後、しばらく時間が経過してから、ＤＣＡＣインバータ３０５の過負荷保護機能がＯＦＦになる。つまり、ＤＣＡＣインバータ３０５の過負荷保護機能が停止する。その後、バックアップ電源から冷蔵装置２０４への電力がＯＮになる。つまり、バックアップ電源から冷蔵装置２０４へ電力が供給される。
【０１６６】
さらに、ＤＣＡＣインバータ３０５の過負荷保護機能がＯＦＦになってから、ΔＴ３の時間が経過した後に、ＤＣＡＣインバータ３０５の過負荷保護機能がＯＮになる。つまり、ΔＴ３の時間が経過した後に、ＤＣＡＣインバータ３０５の過負荷保護機能が動作する。
【０１６７】
上記の動作によって、電力供給を早く開始することに弊害がない照明装置２０３への電力供給は早く開始され、電力供給を早く開始することに弊害がある冷蔵装置２０４への電力供給は遅く開始される。配電制御装置２０２は、上記の動作に基づいて、照明装置２０３および冷蔵装置２０４へ適切に電力を供給する。
【０１６８】
上記の複数の実施の形態で示された通り、配電制御装置は、停電の際に、第２負荷機器の状態が落ち着いてから、第２負荷機器を接続するための第２出力端子へ電力を供給することができる。したがって、配電制御装置は、停電の際に、第２負荷機器に対して電力を適切に供給することができる。
【０１６９】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の配電制御装置などを実現するソフトウェアは、次のようなプログラムである。
【０１７０】
すなわち、このプログラムは、コンピュータに、蓄電池からインバータを介して供給される電力の配電を制御する配電制御方法であって、系統電源の停電を検知する検知ステップと、前記インバータから、第１負荷機器を接続するための第１出力端子、および、モータで動作する圧縮機を有する第２負荷機器を接続するための第２出力端子へ、電力を供給する供給ステップとを含み、前記供給ステップでは、前記停電が検知された場合、前記第２出力端子への電力供給を開始せずに前記第１出力端子への電力供給を開始し、前記第１出力端子への電力供給を開始してから所定期間遅らせて前記第２出力端子への電力供給を開始する配電制御方法を実行させる。
【０１７１】
また、このプログラムは、配電制御装置に、上記の電力供給方法を実行させてもよいし、配電制御装置に含まれるコンピュータに、上記の電力供給方法を実行させてもよい。配電制御装置は、プログラムを実行できてもよいし、プログラムを実行できるコンピュータを備えてもよい。
【０１７２】
また、配電制御装置は、分電盤でもよいし、バックアップ電源装置でもよい。また、配電制御装置は、バックアップ電源を有する分電盤でもよい。
【０１７３】
また、各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。
【０１７４】
以上、一つまたは複数の態様に係る配電制御装置について、実施の形態に基づいて説明したが、本発明は、この実施の形態に限定されるものではない。本発明の趣旨を逸脱しない限り、当業者が思いつく各種変形を実施の形態に施したものや、異なる実施の形態における構成要素を組み合わせて構築される形態も、一つまたは複数の態様の範囲内に含まれてもよい。
【０１７５】
例えば、上記各実施の形態において、特定の処理部が実行する処理を別の処理部が実行してもよい。また、複数の処理の順序が変更されてもよいし、複数の処理が並行して実行されてもよい。
【産業上の利用可能性】
【０１７６】
本発明に係る配電制御装置は、蓄電池からインバータを介して供給される電力の配電を制御することができ、バックアップ電源制御装置または分電盤などに利用可能である。
【符号の説明】
【０１７７】
１００、１０１、１０２、１０３、１０４、１０５、２０２  配電制御装置
１１１  第１スイッチ
１１２  第２スイッチ
１１３  第３スイッチ
１２１  第１出力端子
１２２  第２出力端子
１３０  制御部
１４０  インバータ
１５０、３３１、３３２、３３３  蓄電池
１６１  第１負荷機器
１６２  第２負荷機器
１８０  報知部
２０１  分電盤
２０３  照明装置
２０４  冷蔵装置
３０１、３０４  入力端子
３０２、３０３  出力端子
３０５  ＤＣＡＣインバータ
３０６  制御基板
３０７  ＬＥＤ基板
３０８  充電回路基板
３１１、３１２、３１３、３１６、３１７、３２３、３２４、３５１  スイッチ
３１４  ＭＣＵ
３１５  ＭＵＸ
３２１  残容量ＬＥＤ
３２２  運転ＬＥＤ
３４１、３４２、３４３  ブレーカ
【図１】
2015128354.tif 000003
【図２】
2015128354.tif 000004
【図３】
2015128354.tif 000005
【図４】
2015128354.tif 000006
【図５】
2015128354.tif 000007
【図６】
2015128354.tif 000008
【図７】
2015128354.tif 000009
【図８】
2015128354.tif 000010
【図９】
2015128354.tif 000011
【図１０】
2015128354.tif 000012
【図１１】
2015128354.tif 000013
【図１２】
2015128354.tif 000014
【図１３】
2015128354.tif 000015